(57)【要約】【課題】薄型で、巻き取り操作性の安定した電源コード巻取り装置を提供する。【解決手段】垂直方向の軸２９に回転自在に取着され電源コード２８を巻き取る回転リール１４は、中央部から外径側に向けて下方に傾斜する略円錐状の下側リール盤４と、下側リール盤４とほぼ平行に傾斜する略円錐状の傾斜面を形成した上側リール盤５とを備え、下側リール盤４と上側リール盤５との間に、電源コード２８を一段で巻き取る空間３０を形成したもので、回転リール１４の回転時に、電源コード２８が外径側において下方向に押し下げられる力が作用するので、電源コード２８の重なり状態が上下にばらつかず、下側リール盤４に沿って一段渦巻状に整列巻きが確実に行われ、しかも回転リール１４を押し広げる力が生じないので、回転リール１４は変形しにくい。【選択図】図２
2009247598.tif 000002
【特許請求の範囲】
【請求項１】
垂直方向の軸に回転自在に取着され電源コードを巻き取る回転リールを備え、前記回転リールは、中央部から外径側に向けて下方に傾斜する略円錐状の下側リール盤と、前記下側リール盤とほぼ平行に傾斜する略円錐状の傾斜面を形成した上側リール盤とを備え、前記下側リール盤と前記上側リール盤との間に、前記電源コードを一段で巻き取る空間を形成したことを特徴とする電源コード巻取り装置。
【請求項２】
下側リール盤と上側リール盤との間に形成された空間の回転リールの中央部と外径部での上下位置の差を、電源コードの外径程度の寸法に設定してなる請求項１に記載の電源コード巻取り装置。
【請求項３】
下側リール盤の下方に、前記下側リール盤を電源コードの巻取り方向に付勢するゼンマイバネを配備するとともに、金属などの剛性の強い材料からなり前記ゼンマイバネを覆う部材を前記下側リール盤に取り付けた請求項１又は２に記載の電源コード巻取り装置。
【請求項４】
上側リール盤に円環状の制動面を形成し、回転リールを覆うケースカバーに、制動レバーを回転自在に軸支する支持軸と、ブレーキ面を形成し、前記制動レバーの一端側に回転自在のブレーキローラを配し、前記ブレーキローラを前記制動面と前記ブレーキ面との間に噛み込ませて前記回転リールの制動を行う制動手段を備え、前記ブレーキ面を、前記ブレーキローラが当接したときに、前記ブレーキローラを下方に押さえつける力が作用するように傾斜させた請求項１〜３のいずれか１項に記載の電源コード巻取り装置。
【請求項５】
上下動自在で、且つ上下動動作時に制動レバーを回動させる解除ボタンを設け、前記解除ボタンを押したときに、その下端が、上側リール盤の上面に近接するようにした請求項１〜４のいずれか１項に記載の電源コード巻取り装置。
【請求項６】
請求項１〜５のいずれか１項に記載された電源コード巻取り装置を備えた電気掃除機。
【発明の詳細な説明】
【技術分野】
【０００１】
本発明は、電源コード巻取り装置及びそれを搭載した電気掃除機に関するものである。
【背景技術】
【０００２】
従来のこの種の電源コード巻取り装置としては、図６に示すように、リール３４に、複数段で電源コード３５を巻き取るようにしたものがある（例えば、特許文献１参照）。
【０００３】
しかしながら、上記特許文献１に記載された従来の電源コード巻取り装置の構成では、電源コード巻取り装置内で、電源コード３５が重なりあい、引き出せなくなることがあったり、電源コード３５を多段に巻き取ることで、電源コード巻取り装置自体の厚みが必要となり、結果として、それを組み込んだ電気掃除機などの機器本体の高さを高くする必要があり、使い勝手の悪いものであった。
【０００４】
このような問題を解決するものとして、平板状の電源コード巻取り装置も提案されている（例えば、特許文献２参照）。
【０００５】
図７は、上記特許文献２に記載された従来の電源コード巻取り装置の断面図を示すもので、外郭３３に回転自在に収納されたリール３１に、電源コード３２が、一段で、重なるように巻き取られるようになっている。
【特許文献１】特許第３２９１３７５号公報
【特許文献２】実公昭６０−３４６９８号公報
【発明の開示】
【発明が解決しようとする課題】
【０００６】
上記特許文献２に開示された従来の電源コード巻取り装置の構成は、調理器などの電源コードの比較的短いものに使用されているが、移動機器である電気掃除機等に使用される比較的長い電源コードを収納する場合は、巻き取り用のリール径が従来の電気掃除機用の電源コード巻取り装置のリールの２倍ほどの大きなものとなる。
【０００７】
この場合、まずリール３１の平面度を確保することが困難になるとともに、コード３２の重さによってリール３１自体が変形する場合があった。また電気掃除機などに用いられる断面円形のコード３２を一段で巻き取る場合は、各列においてコード３２の位置が上下にずれやすいため、リール３１を上下に押し広げる力が生じ、変形したリール３１が、外郭３３に当たって回転障害が発生するという問題があった。
【０００８】
これらの問題を防止するためには、上下のリール３１の強度を確保する必要があるが、上下に押し広げる力が作用する位置が特定できないため、上下部品とも全面を補強する必要があり、折角平板状の構成を採用しても厚みのある重量の重い電源コード巻取り装置になってしまうという課題があった。
【０００９】
本発明は、上記従来の課題を解決するものであって、回転リール自体の剛性を確保し、さらに巻取り時の電源コードのずれから生じる、回転リールを上下に押し広げる力の発生を防止し、薄型でありながら巻き取り操作性の安定した電源コード巻取り装置を提供する事を目的とする。
【課題を解決するための手段】
【００１０】
上記従来の課題を解決するために、本発明の電源コード巻取り装置は、垂直方向の軸に回転自在に取着され電源コードを巻き取る回転リールを備え、前記回転リールは、中央部から外径側に向けて下方に傾斜する略円錐状の下側リール盤と、前記下側リール盤とほぼ平行に傾斜する略円錐状の傾斜面を形成した上側リール盤とを備え、前記下側リール盤と前記上側リール盤との間に、前記電源コードを一段で巻き取る空間を形成したもので、回転リールの回転時に、電源コードが外径側において下方向に押し下げられる力が作用することになるので、電源コードの重なり状態が上下にばらつかず、必ず、下側リール盤に沿って電源コードが一段渦巻状に整列巻きが確実に行われ、回転リールを押し広げる力が生じないので、回転リールの変形がしにくくなり、薄型でありながら巻き取り操作性の安定した平板状の電源コード巻取り装置を提供することができる。
【００１１】
本発明の電気掃除機は、請求項１〜５のいずれか１項に記載された電源コード巻取り装置を備えたもので、電気掃除機本体の高さが低くなるので、使い勝手の良い電気掃除機を提供することができる。
【発明の効果】
【００１２】
本発明の電源コード巻取り装置は、掃除機などの断面円形でかつ全長の比較的長い電電コードにおいても、水平に巻取る回転リール内での電源コードの重なりを防止し、スムーズに電源コードの出し入れができるとともに、薄型に構成でき、電気掃除機などの機器本体の高さを抑えることができる。
【発明を実施するための最良の形態】
【００１３】
第１の発明は、垂直方向の軸に回転自在に取着され電源コードを巻き取る回転リールを備え、前記回転リールは、中央部から外径側に向けて下方に傾斜する略円錐状の下側リール盤と、前記下側リール盤とほぼ平行に傾斜する略円錐状の傾斜面を形成した上側リール盤とを備え、前記下側リール盤と前記上側リール盤との間に、前記電源コードを一段で巻き取る空間を形成したもので、回転リールの回転時に、電源コードが外径側において下方向に押し下げられる力が作用することになるので、電源コードの重なり状態が上下にばらつかず、必ず、下側リール盤に沿って電源コードが一段渦巻状に整列巻きが確実に行われ、回転リールを押し広げる力が生じないので、回転リールの変形がしにくくなり、薄型でありながら巻き取り操作性の安定した平板状の電源コード巻取り装置を提供することができる。
【００１４】
第２の発明は、特に、第１の発明の下側リール盤と上側リール盤との間に形成された空間の回転リールの中央部と外径部での上下位置の差を、電源コードの外径程度の寸法に設定したもので、電源コードが下側リール盤に巻き取られる際の摺動抵抗が大きくならないので、電源コードの巻き取り性能を悪化させることが無い。
【００１５】
第３の発明は、特に、第１又は第２の発明の下側リール盤の下方に、前記下側リール盤を電源コードの巻取り方向に付勢するゼンマイバネを配備するとともに、金属などの剛性の強い材料からなり前記ゼンマイバネを覆う部材を前記下側リール盤に取り付けたもので、略円錐状の下側リール盤の内部空間を利用してゼンマイバネを配置することにより、スペースの有効利用を実現するとともに、剛性の強い部材で下側リール盤を補強する効果が得られ、電源コードの重量を支えても変形しない電源コード巻取り装置を薄く構成することができるものである。
【００１６】
第４の発明は、特に、第１〜３のいずれか一つの発明の上側リール盤に円環状の制動面を形成し、回転リールを覆うケースカバーに、制動レバーを回転自在に軸支する支持軸と、ブレーキ面を形成し、前記制動レバーの一端側に回転自在のブレーキローラを配し、前記ブレーキローラを前記制動面と前記ブレーキ面との間に噛み込ませて前記回転リールの制動を行う制動手段を備え、前記ブレーキ面を、前記ブレーキローラが当接したときに、前記ブレーキローラを下方に押さえつける力が作用するように傾斜させたもので、制動力が、下方向に安定して加わるため、制動面とブレーキローラの接触位置がばらつかず、安定した制動力が得られることになり、スムーズに電源コードの出し入れができると共に、巻き取り操作性の安定した薄型の電源コード巻取り装置を提供することができる。
【００１７】
第５の発明は、特に、第１〜４のいずれか一つの発明の電源コード巻取り装置において、上下動自在で、且つ上下動動作時に制動レバーを回動させる解除ボタンを設け、前記解除ボタンを押したときに、その下端が、上側リール盤の上面に近接するようにしたもので、回転リールの制動を解除する際に、押された解除ボタンの下端が、上側リール盤の上面の位置を規制する役目をなし、回転リールが回転時に振れて上側リール盤と下側リール盤との隙間が広がることを防止し、電源コードの重なり発生をより確実に防止することができるものである。
【００１８】
第６の発明における電気掃除機は、請求項１〜５のいずれか１項に記載された電源コード巻取り装置を備えたもので、電源コード巻取り装置が薄いので、電気掃除機本体の高さが低くでき、使い勝手の良い電気掃除機を提供することができる。
【００１９】
以下、本発明の実施の形態について、図面を参照しながら説明する。なお、この実施の形態によって本発明が限定されるものではない。
【００２０】
（実施の形態１）
本発明の第１の実施の形態における電源コード巻取り装置及びそれを搭載した電気掃除機について、図１〜図３を用いて説明する。
【００２１】
図１は、本実施の形態における電源コード巻取り装置を搭載した電気掃除機本体の側面断面図である。図２は、同電源コード巻取り装置の断面図、図３は、同電源コード巻取り装置の平面図である。
【００２２】
図１において、電気掃除機本体１の下部に、各々３６０度方向転換できるキャスター２を配置するとともに、その上段には、本実施の形態における電源コード巻取り装置３が設けられており、電源プラグ７が、電気掃除機本体１の後部に配置されている。さらに、電源コード巻取り装置３の上段（本体上部）の前方には、塵埃を収容する集塵袋８を備えた集塵室９を、後方には、塵埃を吸引するための電動送風機１０をそれぞれ配置している。集塵室９は、開閉自在な集塵蓋１１で覆われている。
【００２３】
以上のように構成された電気掃除機による動作は、電動送風機１０によって外気と共に吸引された塵埃は、集塵室９内の集塵袋８に収容される。集塵袋８は、集塵蓋１１を開け、容易に交換できる。
【００２４】
次に、電源コード巻取り装置３の詳細な構成について図２、３を用いて説明する。
【００２５】
図２、３において、電源コード巻取り装置３は、有底筒状のケース本体１２と、ケース本体１２の開口面１２ａに嵌合されるケースカバー１３からなるケース１６内に、回転リール１４が回転可能に、かつ一方向に回転付勢された状態で配置されている。回転リール１４は、下側リール盤４と上側リール盤５を中央で締結して構成しており、中央部には、電源接続用ボックス６が形成してある。
【００２６】
電源接続用ボックス６内には、電源コード２８の根元電線に溶接した接点２３が２個固定されており、接点２３に対向して配置された２列のリング形状のレール板２２に圧接されている。
【００２７】
２列のリング形状のレール板２２は、ケースカバー１３に固着されており、レール板２２に一体に形成された接続端子２２ａと、電気掃除機本体１側の差込端子（図示せず）を接続することにより、電源コード２８から電源を電気掃除機本体１側に供給する。なおこの電気的接続構造は、電源コード巻取り装置３においては、一般的に使用されている構造であるため具体的構成の詳細説明は省略する。
【００２８】
下側リール盤４の電源コード２８を巻き付ける部分は、図２に示すように中央部分が外周より高くなっており、略円錐状に傾斜した面が形成されている。
【００２９】
上側リール盤５の電源コード２８の巻き付け部分には、上記下側リール盤４の傾斜凸面２４と等間隔を維持しながら、同じく略円錐状の傾斜凹面２５を形成している。本実施の形態では、下側リール盤４の傾斜凸面２４、上側リール盤５の傾斜凹面２５との間に形成される空間３０を、電源コード２８のコード径に約１ｍｍの余裕を持たせた寸法に設定してある。
【００３０】
回転リール１４の回転付勢は、ゼンマイバネ１５にて行っており、ゼンマイバネ１５は、下側リール盤４の中央部の高さが高くなった部分の下に配置され、さらに金属など剛性の強い材料からなり保護部材としての板金プレート２６によって外れないように取り付けてある。２９は、回転リール１４の回転中心となる垂直の軸でケース本体１２とケースカバー１３に固定してあり、さらにゼンマイバネ１５の一端が取り付けられている。
【００３１】
また、回転リール１４の上面には、上側リール盤５より垂直方向に且つ円環状に突出した制動面１７を形成しており、この制動面１７は他の部品と接触しないように一定の空間を設けてケースカバー１３にて覆われている。ただし、制動面１７の一部は、ケースカバー１３の上面開口部２７より露出し、制動手段１８によって制動面１７の回転規制を行うことができる。制動手段１８としては、ゴムなどの弾性材料からなり、制動面１７に接触し制動面１７の回転を抑える回転抵抗を有するブレーキローラ１９と、ブレーキローラ１９を制動面１７から遠ざけるための回動自在な制動レバー２０と、制動レバー２０を介してブレーキローラ１９を制動面１７に接触する方向に付勢する制動バネ２１で構成している。
【００３２】
つまり、制動レバー２０を動かしてブレーキローラ１９を制動面１７から遠ざけると、ケース本体１２とケースカバー１３とで挟持された回転リール１４はゼンマイバネ１５の付勢力によって電源コード２８を巻き取っていく。電源コード２８を途中で止めたいときには、制動レバー２０を離し、ブレーキローラ１９を制動面１７に接触させることで回転リール１４を止めることができるというものである。
【００３３】
さらに詳細に説明すると、回転リール１４の中央部と外周部との高さの差異は、電源コード２８のコード外径程度に設定してあり、巻き付いた電源コード２８の隣同士の高さ位置が０．５〜１ｍｍずれるように設定してある。
【００３４】
これにより、回転リール１４内において、電源コード２８が巻き取られる際に、内側に巻かれた電源コード２８の外側に巻き付く位置が、内側の電源コード２８よりも必ず下方向にずれる力が作用する。そもそも、巻き付いた電源コード２８は、外側に行くほど巻き付き径が大きくなるため、周長が長くなり、巻き付いた電源コード２８の１周分の重量は、内側よりも外側の方が重くなる。そのため外側に巻き付く電源コード２８が内側の電源コード２８よりも下方向にずれやすくなる。
【００３５】
また、本実施に形態においては、さらに回転する回転リール１４の中央部より、外径側が低い位置にあるため、回転リール１４の外径部において常に電源コード２８を下方に下げる力が作用する。しかも回転する回転リール１４自体がその作用を有するため、電源コード２８を巻きつける際に、必ず内側より少しずつ下方にずれながら電源コード２８が巻きつけられる。
【００３６】
なお、中央部と外径側との傾斜差は、電源コード２８の１本分であり、巻き付く際の摺動抵抗は、問題となるレベルではない。
【００３７】
これによって巻き付く電源コード２８の位置が列によって上下にばらつくことがなくなり、下側リール盤４に沿って巻き付くため、下側リール盤４の強度・平面度を確保すれば、変形などによる回転障害の発生を防止することができる。
【００３８】
また、本実施の形態においては、下側リール盤４の下に、ゼンマイバネ１５を覆う板金プレート２６を配置しているため、特別な補強手段を講じなくても下側リール盤４の強度が確保されている。
【００３９】
また下側シール盤４は、略円錐形状であり、平面で形成した円盤よりも変形がしにくく、成形時にもソリが生じにくい利点もある。さらに略円錐状の内部空間に、ゼンマイバネ１５を配備するため、スペースの有効利用をも実現する。
【００４０】
なお、下側リール盤４の外径部分を支えるローラー（図示せず）を数箇所、ケース本体１２に配置すれば、下側リール盤４の自重を回転抵抗なく支えることができ、変形に対する回転機能障害の発生する可能性がさらに小さくなることは言うまでもない。
【００４１】
（実施の形態２）
図４は、本発明の第２の実施の形態における電源コード巻取り装置の断面図、図５は、同電源コード巻取り装置の平面図である。尚、上記第１の実施の形態における電源コード巻取り装置と同一部分については同一符号を付してその説明を省略する。
【００４２】
本実施の形態における電源コード巻取り装置の制動手段１８は、制動面１７に当接するブレーキローラ１９と、一端にブレーキローラ１９が回転自在に取り付けられ、ケースカバー１３に立設した支持軸３６に回動自在に取り付けられた制動レバー２０と、制動レバー２０を介してブレーキローラ１９を制動面１７に接触する方向に付勢する制動バネ２１を有しており、さらにケースカバー１３からは、リブ３７が下方に突出しており、リブ３７には、斜めに傾斜したブレーキ面３８が形成されていて、ブレーキローラ１９は、制動時に制動面１７とブレーキ面３８との間に噛み込まれ、制動力を発揮するように構成されている。
【００４３】
その際、ブレーキ面３８の傾斜は、ブレーキローラ１９を下方に押し出す作用を生み出し、ブレーキローラ１９は、制動面１７との当接方向だけでなく、上側リール盤５の方向にも付勢される。そのため上側リール盤５がたわむなどして制動面１７の上下方向の位置がずれたとしても、制動時にはブレーキローラ１９は制動面１７から外れることなく当接状態を維持する。
【００４４】
制動レバー２０の他端は、解除ボタン３９に一体に形成した円錐形状のカム面４０と摺動する。解除ボタン３９は、電気掃除機本体１の外郭４１に上下動自在に取り付けられており、圧縮バネ４２によって上方向に付勢されている。
【００４５】
解除ボタン３９を押すことで、円錐形状のカム面４０が制動レバー２０を動かし、ブレーキローラ１９を制動面１７から遠ざけると、ケース本体１２とケースカバー１３とで挟持された回転リール１４は、ゼンマイバネ１５の付勢力によって電源コード２８を巻き取っていく。電源コード２８を途中で止めたいときには、解除ボタン３９を離し、ブレーキローラ１９を制動面１７に接触させることで回転リール１４を止めることができるというものである。
【００４６】
また、本実施の形態では、解除ボタン３９を押し、電源コード２８の巻取りを行なう際、解除ボタン３９の下端４３が、上側リール盤５に近接する寸法に設定してある。これにより、上側リール盤５がたわみ、上方に上がってきたときには、解除ボタン３９の下端４３に当たることになる。上側リール盤５の変形が小さいときは、解除ボタン３９に当接しても回転リール１４自体は回転を続け、上側リール盤５と下側リール盤４との隙間（空間３０）が広がることを防止しながら回転するため、電源コード２８の重なり発生を防止することができる。
【００４７】
万が一、上側リール盤５の変形が著しく大きくなったときは、解除ボタン３９が上側リール盤５によって押し上げられ、制動作用が働き、異常が進行しないうちに巻取りが停止される。
【産業上の利用可能性】
【００４８】
以上のように、本発明にかかる電源コード巻取り装置は、装置内での電源コードの重なりを防止しスムーズに電源コードの出し入れができるとともに、電気掃除機本体の高さを最小限に抑え使い勝手の良い電気掃除機として有用である。
【図面の簡単な説明】
【００４９】
【図１】本発明の第１の実施の形態における電源コード巻取り装置を搭載した電気掃除機の側面断面図
【図２】同電源コード巻取り装置の断面図
【図３】同電源コード巻取り装置の平面図
【図４】本発明の第２の実施の形態における電源コード巻取り装置の断面図
【図５】同電源コード巻取り装置の平面図
【図６】従来の電源コード巻取り装置の部分断面図
【図７】従来の他の電源コード巻取り装置の部分断面図
【符号の説明】
【００５０】
１    電気掃除機本体
３    電源コード巻取り装置
４    下側リール盤
５    上側リール盤
７    電源プラグ
１４  回転リール
１５  ゼンマイバネ
２４  傾斜凸面
２５  傾斜凹面
２６  板金プレート（部材）
２８  電源コード
２９  軸
３０  空間
【図１】
2009247598.tif 000003
【図２】
2009247598.tif 000004
【図３】
2009247598.tif 000005
【図４】
2009247598.tif 000006
【図５】
2009247598.tif 000007
【図６】
2009247598.tif 000008
【図７】
2009247598.tif 000009